(57)【要約】【課題】  空間を仕切る間仕切パネルの一部に開閉可能な開口部を備え、配線等の引き回しや物品の受け渡し、あるいは会話をすることが可能であるとともに、不要なときには開口部を閉じることが可能であり、既存のパネルに最小限の部品を追加するだけで構成することができる間仕切パネルの開口装置を提供する。【解決手段】  フレーム２に複数のパネル板３を上下に着脱可能に配したブロックパネル構造とした間仕切パネル１であって、間仕切パネルの一部に、フレームの両側縦枠９，９間に一対のオープン枠体４，４を取付けて開口部Ｓを形成し、開口部の内部で表裏両面側のそれぞれに開閉扉５，５の下縁を前後回動可能に枢着するとともに、開閉扉を垂直な閉止状態で維持する係着手段７と、開閉扉を水平な開放状態で維持する支持手段８を備えている。【選択図】        図１
2007016568.tif 000002
【特許請求の範囲】
【請求項１】
フレームに複数のパネル板を上下に着脱可能に配したブロックパネル構造とした間仕切パネルであって、前記間仕切パネルの一部に、前記フレームの両側縦枠間に一対のオープン枠体を取付けて開口部を形成し、該開口部の内部で表裏両面側のそれぞれに開閉扉の下縁を前後回動可能に枢着するとともに、該開閉扉を垂直な閉止状態で維持する係着手段と、該開閉扉を水平な開放状態で維持する支持手段を備えたことを特徴とする間仕切パネルの開口装置。
【請求項２】
前記フレームの両側縦枠を隠蔽する表面部と奥行方向に延びた内側面部を有する断面略Ｌ字形のオープン枠体を、前記フレームの表裏両側からそれぞれ前記縦枠の表裏両面に上下方向に所定間隔で形成した係合孔に、前記表面部の背面に設けた係止具を嵌合係止して取付けてなる請求項１記載の間仕切パネルの開口装置。
【請求項３】
前記オープン枠体を両側の縦枠部材と上下の横枠部材とで正面視四角形に形成し、下側横枠部材の内側面部に前記開閉扉の下縁を蝶番にて回動可能に枢着するとともに、両縦枠部材の内側面部と前記開閉扉の両側背面との間に前記支持手段としてリンク式の回動ステー具を設けてなる請求項１又は２記載の間仕切パネルの開口装置。
【請求項４】
前記開閉扉の表面の上部両側に引手を設け、前記係着手段として前記開閉扉の背面の両側上部にそれぞれラッチ具を設けるとともに、前記オープン枠体の両側縦枠部材の内側面部の上部に前記ラッチ具のフック部を係止する係止ピンを突設し、更に前記ラッチ具の操作部を前記引手の上方外側に位置させてなる請求項１〜３何れかに記載の間仕切パネルの開口装置。
【請求項５】
大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムにおいて、前記壁側パネル及びサイドパネルを、フレームに複数のパネル板を上下に着脱可能に配したブロックパネル構造とし、前記壁側パネルにオープン枠体を設けて前記構造壁に設置されている接続ボックスを露出させ、前記サイドパネルのフレームにも表裏両側から一対のオープン枠体を取付けて開口部を形成し、該開口部の内部で表裏両面側のそれぞれに独立開閉可能な回動式の開閉扉を備え、前記開閉扉を開放状態で前記接続ボックスに接続された配線類や配管類を、開口部を通過させて配設することを特徴とする間仕切パネルの開口装置。
【発明の詳細な説明】
【技術分野】
【０００１】
本発明は、間仕切パネルの開口装置に係わり、更に詳しくは空間を仕切る間仕切パネルの一部に開閉可能な開口部を備え、配線等の引き回しや物品の受け渡し、あるいは会話をすることが可能な間仕切パネルの開口装置に関するものである。
【背景技術】
【０００２】
特許文献１には、オフイス空間を仕切るための壁体を備える間仕切りにおいて、表裏両側に開閉戸を有する開口窓を壁体に設け、前記開閉戸は垂直方向にスライドするスライド戸と、水平方向の回動軸を軸として開閉する回動戸とを備え、回動戸は略水平に成ったところで支持される構造が開示されている。この特許文献１記載のものは、壁体の一部に上端からの切り欠きであるユニット挿着部を備え、該ユニット挿着部の断面凸形のリブに窓ユニットの両側嵌合溝を上方から嵌合して取付け、該窓ユニットに前述のスライド戸と回動戸とを設けたものであり、壁体の中央部から上端にかけてユニット挿着部を切り欠いて形成しているため壁体の強度不足といった問題があり、実現性に乏しい。
【０００３】
また、特許文献２には、左右に立設した縦枠と上下複数本の横枠とでフレームを構成し、このフレームにパネルを回動可能に装着してなる間仕切装置であって、フレームで囲われた内側に、当該フレームにねじ止め等によって固定されたインナーフレームを配置し、このインナーフレームにパネルを回動可能に取付けた間仕切装置が開示されている。具体的には、前記フレームの表面側と裏面側とに左右横長のパネル群が上下多段に配置されており、そのうちの少なくとも１枚を、起立姿勢から水平姿勢まで姿勢変更自在な回動式パネルと成しており、前記インナーフレームは、パネルが蝶番にて回動自在と取付けられた下部部材と、下部部材の上方に配置されると共に物品収納機能を有する前向き開口箱状の上部部材とから成っており、下部部材と上部部材とのうち少なくとも何れか一方をフレームにねじ止め等によって固定している。そして、特許文献２の図１４（Ｂ）には、同じ高さ位置に表裏の回動式パネルを設ける点が、開示されているが、回動式パネルの具体的な取付構造は開示されてない。
【０００４】
尚、特許文献３には、病院の大部屋において左右で隣り合うベッドの間を床に設置するサイドパネルによって仕切り、前記各ベッドの頭部側には壁側パネルを設置すると共に、各ベッドの足元側は開閉可能なカーテンを配置した病院の大部屋に形成した個室が開示されている。ここで、前記サイドパネルに、前記ベッドを使用する患者の視野に入る部位に平面状画面のテレビ受像機、又は、該受像機の取付支持具を設けると共に、前記サイドパネル又は壁側パネルに前記ベッドに向けて人感知センサーを設ける点が開示されている。更に、パネルに積層タイプのブロックパネルを使用し、ブロックパネルの一部に光透過性のものを使用するか、又は、適宜の着色等を施したものを使用するか、若しくは、光透過性のパネルと着色等を施したパネルを使用する点、あるいはサイドパネル又は壁側パネルには、収納機能を有する収納壁ブロックを使用する点も開示されている。
【特許文献１】特開平７−１５０６６１号公報（図１、図２、図３、図５）
【特許文献２】特開２００４−１９１６５号公報（図１、図６、図７、図１４）
【特許文献３】特開２００４−３５３４１６号公報（図１、図２）
【発明の開示】
【発明が解決しようとする課題】
【０００５】
そこで、本発明が前述の状況に鑑み、解決しようとするところは、空間を仕切る間仕切パネルの一部に開閉可能な開口部を備え、配線等の引き回しや物品の受け渡し、あるいは会話をすることが可能であるとともに、不要なときには開口部を閉じることが可能であり、既存のパネルに最小限の部品を追加するだけで構成することができる間仕切パネルの開口装置を提供する点にある。
【課題を解決するための手段】
【０００６】
本発明は、前述の課題解決のために、フレームに複数のパネル板を上下に着脱可能に配したブロックパネル構造とした間仕切パネルであって、前記間仕切パネルの一部に、前記フレームの両側縦枠間に一対のオープン枠体を取付けて開口部を形成し、該開口部の内部で表裏両面側のそれぞれに開閉扉の下縁を前後回動可能に枢着するとともに、該開閉扉を垂直な閉止状態で維持する係着手段と、該開閉扉を水平な開放状態で維持する支持手段を備えてなる間仕切パネルの開口装置を構成した（請求項１）。
【０００７】
ここで、前記フレームの両側縦枠を隠蔽する表面部と奥行方向に延びた内側面部を有する断面略Ｌ字形のオープン枠体を、前記フレームの表裏両側からそれぞれ前記縦枠の表裏両面に上下方向に所定間隔で形成した係合孔に、前記表面部の背面に設けた係止具を嵌合係止して取付けてなることが好ましい（請求項２）。
【０００８】
また、前記オープン枠体を両側の縦枠部材と上下の横枠部材とで正面視四角形に形成し、下側横枠部材の内側面部に前記開閉扉の下縁を蝶番にて回動可能に枢着するとともに、両縦枠部材の内側面部と前記開閉扉の両側背面との間に前記支持手段としてリンク式の回動ステー具を設けてなることも好ましい（請求項３）。
【０００９】
そして、前記開閉扉の表面の上部両側に引手を設け、前記係着手段として前記開閉扉の背面の両側上部にそれぞれラッチ部材を設けるとともに、前記オープン枠体の両側縦枠部材の内側面部の上部に前記ラッチ部材のフック部を係止する係止ピンを突設し、更に前記ラッチ部材の操作部を前記引手の上方外側に位置させてなることも好ましい（請求項４）。
【００１０】
また、本発明は、大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムにおいて、前記壁側パネル及びサイドパネルを、フレームに複数のパネル板を上下に着脱可能に配したブロックパネル構造とし、前記壁側パネルにオープン枠体を設けて前記構造壁に設置されている接続ボックスを露出させ、前記サイドパネルのフレームにも表裏両側から一対のオープン枠体を取付けて開口部を形成し、該開口部の内部で表裏両面側のそれぞれに独立開閉可能な回動式の開閉扉を備え、前記開閉扉を開放状態で前記接続ボックスに接続された配線類や配管類を、開口部を通過させて配設してなる間仕切パネルの開口装置を構成した（請求項５）。
【発明の効果】
【００１１】
以上にしてなる請求項１に係る発明の間仕切パネルの開口装置は、ブロックパネル構造とした間仕切パネルの一部に、パネル板の代わりにフレームの両側縦枠間に一対のオープン枠体を取付けることにより簡単に開口部を形成することができ、そして該開口部の内部で表裏両面側に開閉扉を上下回動可能に設けたので、開閉扉を係着手段にて垂直な閉止状態としたときには該開閉扉が目立たなくなり、そして両側の開閉扉を支持手段にて水平な開放状態としたときには、開口部が開放されるので、該開口部を通して配線等の引き回しや物品の受け渡し、あるいは会話をすることができ、また少なくとも一方の開閉扉を閉止して開口部を閉じればプライバシーを保つことができる。また、水平な開放状態の開閉扉を棚板として利用することも可能である。
【００１２】
請求項２によれば、フレームの両側縦枠の表裏両面に形成した係合孔に、オープン枠体の表面部の背面に設けた係止具を嵌合係止して取付けるので、簡単にオープン枠体を取付けることができるとともに、その位置の選択にも自由度があり、また位置変更も簡単に行うことができ、一対のオープン枠体をフレームの表裏両側から取付けて開口部を形成するので、前記フレームの縦枠、あるいは縦枠と横枠とを表面部と内側面部とで覆うので、外観性にも優れている。
【００１３】
請求項３によれば、各オープン枠体の下側横枠部材の内側面部に前記開閉扉の下縁を蝶番にて回動可能に枢着するとともに、両縦枠部材の内側面部と前記開閉扉の両側背面との間に前記支持手段としてリンク式の回動ステー具を設けたので、オープン枠体と開閉扉とが一体となってユニット化されるので、付け替えが容易である。
【００１４】
請求項４によれば、開閉扉の表面の上部両側に設けた引手にそれぞれ両手の指を掛け、該引手の上方に設けたラッチ具の操作部を親指で操作しないとラッチ具のフック部がオープン枠体の縦枠部材に突設した係止ピンから外れないので、不意に開閉扉が手前側へ開放することがなく安全である。また、係着手段としてのラッチ具を開閉扉に設け、係止ピンを該開閉扉を枢着したオープン枠体の縦枠部材に突設したので、開閉扉の全ての機構部をオープン枠体に集中させることができ、それにより前記フレームの表裏両側から開閉扉を組み込んだオープン枠体を取付けるだけで、間仕切パネルの一部に開口部とその内部で表裏両面側に開閉扉を設けることができ、またフレームにおける高さ位置の変更、更に他の間仕切パネルへの付け替えも容易である。
【００１５】
請求項５によれば、大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置することにより、病室等の大部屋を個室化することができ、それによりサイドパネルの両側の個室におけるプライバシーを保護することができ、また構造壁に設けられた接続ボックスを、ブロックパネル構造の壁側パネルにオープン枠体を設けることにより露出させて、配線類や配管類を接続して使用することができる状況を確保するとともに、サイドパネルに形成した開閉扉付きの開口部を通過させて反対側の個室空間へ配線類や配管類を引き回すことができる。また、両側の開閉扉を開放したときにのみ、開口部が解放されるので、サイドパネルの両側に居る患者の同意に基づいて開口部を通して会話をすることができ、それにより長期入院患者に往々にしてありがちな孤立感、閉塞感を緩和することも可能である。また、前記開口部を通して両側の患者同士が物品を受け渡すことも可能である。
【発明を実施するための最良の形態】
【００１６】
次に、本発明の実施形態を添付図面に基づき詳細に説明する。図１は本発明に係る間仕切パネルの開閉装置を示し、図２〜図４は、間仕切パネルの基本構造を示し、図５〜図８は本発明の要部の詳細を示し、図中符号１は間仕切パネル、２はフレーム、３はパネル板、４はオープン枠体、５は開閉扉、６は引手、７は係着手段、８は支持手段、Ｓは開口部をそれぞれ示している。
【００１７】
本発明に係る間仕切パネルの開閉装置は、図１に示すように、フレーム２に複数のパネル板３，…を上下に着脱可能に配したブロックパネル構造とした間仕切パネル１であって、前記間仕切パネル１の一部に、前記フレーム２の両側縦枠間に一対のオープン枠体４，４を取付けて開口部Ｓを形成し、該開口部Ｓの内部で表裏両面側のそれぞれに開閉扉５の下縁を前後回動可能に枢着するとともに、該開閉扉５を垂直な閉止状態で維持する係着手段７と、該開閉扉５を水平な開放状態で維持する支持手段８を備えたものである。
【００１８】
先ず、前記間仕切パネル１の構造を図２〜図４に基づいて説明する。間仕切パネル１は、フレーム２の表裏に複数枚のパネル板３，…を上下方向に配列させて着脱可能とした積層タイプのブロックパネル構造である。前記フレーム２は、両側縦枠９，９間で少なくとも上下端部に複数の横枠１０，…を横設して構成し、該縦枠９の表裏両面に上下方向に所定間隔毎に係合孔１１，…が形成されている。
【００１９】
前記パネル板３の両側縁部の裏面には、上下の取付孔１２，１２が形成されている。そして、該上下の取付孔１２，１２には、上部連結具１３及び下部連結具１４が内嵌される。そして、前記フレーム２の両側の縦枠９，９に形成した上下左右の係合孔１１，…に、前記下部連結具１４に設けた下向きフック１６を係止するとともに、前記上部連結具１３に設けた係合爪１５を抜止め状態で弾性係合させて前記パネル板３を取付ける。従って、パネル板３，…は、間仕切パネル１のフレーム２，…から容易に着脱することができる。尚、上下のパネル板３，３間には、横目地材１７が配設されており、上下のパネル板３，３間の間隙を塞いでいる。
【００２０】
次に、図５〜図８に基づいて本発明を詳細に説明する。前記オープン枠体４は、アルミニウムの押出し型材の端部を４５度の角度で切断して両側縦枠部材１８，１８と上下横枠部材１９，１９を形成し、その切断部で突き合わせた状態で図示しないＬ金具にてネジ止め連結し、正面視四角形状となしたものである。ここで、前記縦枠部材１８は、断面略Ｌ字形を有し、前記フレーム２の縦枠９の前面側に位置する表面部１８ａと縦枠９の内側面に沿って進入する内側面部１８ｂとを有している。また、前記横枠部材１９も前記縦枠部材１８と同じ断面形状を有し、それぞれ表面部１９ａと内側面部１９ｂを有する断面略Ｌ字形である。また、本実施形態では、前記縦枠部材１８の表面部１８ａと内側面部１８ｂとのコーナー部及び横枠部材１９の表面部１９ａと内側面部１９ｂとのコーナー部を約４５度の面取り部１８ｃ、１９ｃをそれぞれ形成している。尚、前記縦枠部材１８と横枠部材１９は同じ型材から作製することができる。
【００２１】
そして、図５に示すように、前記オープン枠体４の両縦枠部材１８，１８の表面部１８ａ，１８ａの背面側上下部に前記一対の係合孔１１，１１に嵌合係止する係止具２０，２０をそれぞれ突設し、該係止具２０，…を所定高さの縦枠９の係合孔１１，…に嵌合係止して前記フレーム２の表裏両面側から取付ける。一対の前記オープン枠体４，４を、フレーム２の表裏両面側から取付けた状態では、表面側のオープン枠体４の内側面部１８ｂと内側面部１９ｂは、裏面側のオープン枠体４の内側面部１８ｂと内側面部１９ｂとそれぞれ突き合い接合するように寸法設定されている。つまり、表裏両面にそれぞれ設ける前記オープン枠体４，４は全く同一である。
【００２２】
ここで、前記オープン枠体４を最上段又は最下段に設けた場合には、前記横枠部材１９の表面部１９ａと内側面部１９ｂとで形成される空間部に上下端の前記横枠１０を受け入れて隠蔽し、また両縦枠９，９の上下中間部に中間横枠１０を設け、該中間横枠１０の直下又は直上にオープン枠体４を設けた場合にも当該中間横枠１０は横枠部材１９で隠蔽されるのである。
【００２３】
そして、図１、図５、図６及び図８に示すように、前記オープン枠体４の下側横枠部材１９の内側面部１９ｂに前記開閉扉５の下縁を蝶番２１，…にて回動可能に枢着するとともに、両縦枠部材１８，１８の内側面部１８ｂ、１８ｂと前記開閉扉５の両側背面との間に前記支持手段８としてリンク式の回動ステー具（以後、符号「８」で表す。）を設けている。また、前記開閉扉５の表面の上部両側に引手６，６を設け、前記係着手段７として前記開閉扉５の背面の両側上部にそれぞれラッチ具２２を設けるとともに、前記オープン枠体４の両側縦枠部材１８，１８の内側面部１８ｂ、１８ｂの上部に前記ラッチ具２２のフック部２３を係止する係止ピン２４を突設し、更に前記ラッチ具２２の操作部２５を前記引手６の上方外側に位置させている。
【００２４】
更に詳しくは、前記係着手段７は、図１、図５、図６〜図８に示すように、前記ラッチ具２２と係止ピン２４から構成され、図７に示すように、ラッチ具２２は、可動体２６を本体ケース２７内に回動可能、即ちスイング可能に枢着するとともに、可動体２６を該可動体２６に形成したフック部２３が前記係止ピン２４に係合する方向へ弾性付勢したものである。前記可動体２６は、合成樹脂製で一体成形され、両側に支軸２８，２８を突設し、該支軸２８に対して一側に延設した部分をフック部２３となし、他側の近傍には前記支軸２８の軸線に対して対称にシーソー型の操作部２５を形成し、更に前記支軸２８から離れた適所、図例のものにあってはフック部２３の基部に板ばね状のばね部２９を一体成形し、該可動体２６の回動に伴い該ばね部２９が十分に弾性変形するようにしたものである。前記本体ケース２７は、前記可動体２６を収容し得る内部空間３０を有し、対向する両側壁の口縁部近傍に前記支軸２８，２８を回動可能に支持する軸孔３１，３１を形成するとともに、内部に前記ばね部２９の先端を案内し且つ支持する口縁部側へ開放したばね受け３２を形成し、更に前記両側壁の中央部から前記軸孔３１とは反対側の他側に開放した前記係止ピン２４を受入れる案内凹所３３，３３を形成し、図７（ｂ）に示すように側面視において前記フック部２３と案内凹所３３とで係止ピン２４を取り囲むようになしている。
【００２５】
前記ラッチ具２２は、前記操作部２５を強く押込めば、前記フック部２３が本体ケース２７内に退避して前記係止ピン２４から外れ、その状態を維持できるようになっている。その状態からの復帰は、前記操作部２５の反対側を押し込んで操作部２５をフラットにするか、あるいは前記係止ピン２４を案内凹所３３内に受け入れることにより、前記ばね部２９の中間部に案内凹所３３内へ向けて突設した当接片３４を係止ピン２４が内奥へ押し込み、準安定状態に維持されていた可動体２６がばね部２９の弾性復元力によって元の位置に復帰するのである。
【００２６】
そして、前記開閉扉５の表面の上部両側に設けた引手６，６にそれぞれ両手の指を掛け、該引手６，６の上方に設けたラッチ具２２の操作部２５を親指で押し込むことにより、フック部２３がオープン枠体４の縦枠部材１８に突設した係止ピン２４から外れて、開閉扉５を開放することが可能になる。このように両手で操作しないとラッチ具２２のフック部２３が係止ピン２４から外れないので、不意に開閉扉５が手前側へ開放することがなく安全である。
【００２７】
次に、前記支持手段８としてのリンク式の回動ステー具８を説明する。前記回動ステー具８は、図１、図５、図６及び図８に示すように、棒状のステー３５と、該ステー３５の一端部を前記開閉扉５の背面の側方下部寄り位置に回動可能に連結するヒンジ部材３６と、前記ステー３５の他端部を上下スライド可能に案内して連結するガイド部材３７とから構成されている。前記ヒンジ部材３６は、前記開閉扉５の背面にネジ止めする固定片３８と、該固定片３８から切起した立起片３９を有し、該立起片３９に前記ステー３５の一端部をリベット等の枢支ピン３５ａにて回動可能に枢着している。前記ガイド部材３７は、上下に前記オープン枠体４の縦枠部材１８の内側面部１８ｂにネジ止めする取付部４０，４０と、その中間に前記内側面部１８ｂとの間に空隙を設けてガイド部４１を有し、該ガイド部４１にはスリット孔４２を形成し、前記ステー３５の他端部を摺動可能にリベット等の枢支ピン３５ｂで連結している。また、前記係止ピン２４は、前記ガイド部材３７の上方取付部４０に溶接して設けている。
【００２８】
図６に示すように、前記開閉扉５を垂直な閉止状態としたときには、前記回動ステー具８のステー３５の枢支ピン３５ｂは、前記ガイド部材３７のスリット孔４２の最上部に位置し、該ステー３５はガイド部材３７に平行になる。そして、前記ラッチ具２２の操作部２５を操作してフック部２３を係止ピン２４から外し、前記開閉扉５を手前側へ回動させると、前記ステー３５の枢支ピン３５ｂは、前記ガイド部材３７のスリット孔４２を下方へ摺動し、該スリット孔４２の下端に当止した際に、当該開閉扉５を水平に開放状態に維持するのである。
【００２９】
このように本発明の間仕切パネルの開閉装置は、間仕切パネル１のフレーム２の所定高さ位置に表裏両面側から一対のオープン枠体４，４を取付けて、該間仕切パネル１の一部に開口部Ｓを形成し、両オープン枠体４，４にそれぞれ開閉扉５，５を設け、該開閉扉５を係着手段７にて閉止状態に維持するとともに、手前に９０度開いて支持手段８にて開放状態を維持することができるものである。前記開口部Ｓを開放した状態では、該開口部Ｓを通して配線等を引き回すことができるとともに、物品の受け渡しも行うことができ、更に開口部Ｓの両側で直に会話をすることができる。また、開放状態の開閉扉５は、物品を載置する棚板としても利用することができる。
【００３０】
本実施形態では、前記係着手段７としてラッチ具２２と係止ピン２４からなるものを用いたが、該ラッチ具２２はキャビネットの引出し等で使っている前記引手６と組み合わせた構造であっても構わない。つまり、引手６の内部に操作部を備え、開閉扉５の背面側部に突出状態で設けたラッチ部を、シャフトを介して連結した構造のものを採用することができ、また引手６を開閉扉５の左右中央部に一つ設けることも可能である。また、前記支持手段８としてリンク式の回動ステー具８を用いたが、従来公知の他の構造のもの、即ちステーの両端部を開閉扉５とオープン枠体４の縦枠部材１８とに枢着し、該ステーの中央部で折れ曲がるように枢着した構造のもの、あるいは単に鎖やチェーン、紐のようなもので開閉扉５とオープン枠体４の縦枠部材１８を連結する等、適宜なものを採用することができる。
【００３１】
次に、前述の間仕切パネルの開閉装置を、病院の大部屋病室を仕切って個室化するパネルシステムに適用した第２発明を図９及び図１０に基づいて説明する。第２発明は、大部屋の構造壁Ｃに沿って壁側パネル１０１を設置するとともに、該壁側パネル１０１に対して直角に単又は複数のサイドパネル１０２を連結して設置し、該サイドパネル１０２の遊端側に開閉可能なカーテンＣＴ又は開閉可能な仕切手段を配置して個室化するためのパネルシステムＡにおいて、前記壁側パネル１０１及びサイドパネル１０２を、フレーム２に複数のパネル板３，…を上下に着脱可能に配したブロックパネル構造とし、前記壁側パネル１０１にオープン枠体１０３を設けて前記構造壁Ｃに設置されている接続ボックス１０４を露出させ、前記サイドパネル１０２のフレーム２にも表裏両側から一対のオープン枠体４，４を取付けて開口部Ｓを形成し、該開口部Ｓの内部で表裏両面側のそれぞれに独立開閉可能な回動式の開閉扉５，５を備え、前記開閉扉５を開放状態で前記接続ボックス１０４に接続された配線類や配管類１０５を、開口部Ｓを通過させて配設するものである。
【００３２】
ここで、従来の病室における背景を説明する。病院の大部屋病室Ｒは、廊下側の中央部に出入口Ｄがあり、該出入口Ｄと対面する側には採光のための複数の窓Ｗを有し、その両側は構造壁Ｃ，Ｃで仕切られた構造が一般的であり、そして出入口Ｄから窓Ｗへ向かう通路となる共用空間Ｅを設け、その両側にベッドＢを取り囲むように設けられたカーテンで仕切られた個人用空間を設け、その空間内に構造壁側に頭が向くようにベッドＢが配置された形態が一般的であり、通常は４人部屋、あるいは６人部屋が多い。このような大部屋をカーテンのみで仕切った従来の個人用空間では、入院患者のプライバシーを確保することは殆ど不可能であるばかりでなく、他の患者に対する気遣いも必要であり、それが過度になると患者に心理的ストレスを生じさせたり、患者同士のトラブルの原因ともなり、お世辞にも快適な療養環境とは言えなかった。また、見舞い者や付添い人にとっても居心地が悪く、疲労感を増大させるものであった。
【００３３】
図９は、本発明に係るパネルシステムが用いられた大部屋病室の例を示す平面図である。図９において、病院の大部屋病室Ｒは、廊下側の中央部に出入口Ｄがあり、該出入口Ｄと対面する側には採光のための複数の窓Ｗ，Ｗを有し、その両側は構造壁Ｃ，Ｃで仕切られており、出入口Ｄから窓Ｗ，Ｗ側まで共用空間Ｅが設けられている。そして、大部屋の個室化パネルシステムＡ，Ａにより、準個室Ｒ１〜Ｒ４が形成される。また、前記構造壁Ｃ側に頭部側を向けてベッドＢ，…が配置される。そして、大部屋Ｒの構造壁Ｃに沿って壁側パネル１０１，１０１を設置するとともに、該壁側パネル１０１，１０１に対して直角に連結されたサイドパネル１０２により形成される平面視略Ｔ字状とし、該サイドパネル１０２の遊端側の共用空間Ｅに面する位置にカーテンＣＴ，ＣＴを設けて、準個室Ｒ１，Ｒ２（Ｒ３，Ｒ４）間が仕切られる。ここで、前記カーテンＣＴの代わりに、扉付きパネル又は衝立等の開閉可能な仕切手段を配置してもよい。尚、該個室化パネルシステムＡは、壁側パネル１０１，…に対して、複数のサイドパネル１０２，…を、間隔を置いて平面視π字状に連結して構成してもよい。この場合は、一方の構造壁Ｃの側に三つの準個室が形成され、大部屋Ｒを６人部屋として使用できる。
【００３４】
このような大部屋の個室化パネルシステムＡ，…を用いると共に、該パネルシステムＡのサイドパネル１０２の遊端側に開閉可能なカーテンＣＴを配置すれば、既設の大部屋Ｒに、よりプライバシーが確保された準個室Ｒ１，…を容易に形成することができる。また、本発明に係る大部屋の個室化パネルシステムＡは、壁側パネル１０１，１０１にサイドパネル１０２を平面視略Ｔ字状、あるいは平面視π字状に連結した構造体であるので、床面Ｆに自立状態で設置することが可能であり、構造壁Ｃや床面Ｆに何ら手を加える必要がない。従って、既存の病院の大部屋Ｒに、短時間で簡単に設置することが可能であり、その際に騒音等が発生しないので、他の大部屋の入院患者はそのままの状態で施工することも可能である。
【００３５】
本実施形態では、前記準個室に面する壁側パネル１０１及びサイドパネル１０２は、それぞれ３枚の間仕切パネル１を直線状に連結して構成されている。各間仕切パネル１を直線状に連結するには、隣接するフレーム２，２の両側縦枠９，９同士を、その間に図示しない連結ブロックを介して直接ボルトで連結する。ここで、前記間仕切パネル１は、横幅が９００ｍｍ、あるいは６００ｍｍ、厚さが９０ｍｍのものを使用している。また、前記パネル板３の上下幅は、前記フレーム２の縦枠９に形成した係合孔１１，…の最小上下間隔に取付けることが可能な最小基準幅の整数倍で自由に決定することができる。
【００３６】
次に、図１０に基づいて第２発明の実施形態を説明する。前述のように、前記壁側パネル１０１の一部にオープン枠体１０３を設けて、構造壁Ｃに設けた接続ボックス１０４を露出させ、前記サイドパネル１０２の一部にリ表裏両側から一対の前記オープン枠体４，４を取付けて開口部Ｓを形成し、該開口部Ｓには両側に独立開閉可能な開閉扉５，５を設けている。前記構造壁Ｃには、予め呼び出しボタンを接続したり、酸素吸入器に酸素を送る供給管を接続したり、痰を吸引する吸引管を接続するための接続ボックス１０４が設けられている。この接続ボックス１０４には、構造壁Ｃ内に配設した固定配管等が連結されているため、該接続ボックス１０４を付け替えることは殆ど不可能である。このような状況のもとで、構造壁Ｃに沿って接近して前記壁側パネル１０１が設置される。そこで、前記接続ボックス１０４に対応する壁側パネル１０１にオープン枠体１０３を設けて、該接続ボックス１０４を露出させて配線類や配管類１０５を接続できるようにするのである。
【００３７】
ここで、前記接続ボックス１０４を複数の患者で共用する場合には、前記サイドパネル１０２を設置すると、空間がサイドパネル１０２で仕切られるので、該サイドパネル１０２を越えて配線類や配管類１０５を配設する必要性が生じる。この場合、前記接続ボックス１０４に接続した配線類や配管類１０５を、前記サイドパネル１０２の上を越えさせて配設することも可能ではあるが、外観性を損なうばかりでなく、迂回するので配線類や配管類１０５を長いものを用意しなければならず、また屈曲等が生じる危険性もある。そこで、本発明では、前記サイドパネル１０２に開口部Ｓを設けるとともに、該開口部Ｓの内部に開閉扉５，５を設け、該開閉扉５，５を開放状態で開口部Ｓを通して配線類や配管類１０５を配設することができるようにしたのである。また、前記開閉扉５，５を開放状態で開口部Ｓを通して物品を受け渡しを行うことができ、またサイドパネル１０２の両側の患者が直接顔を見ながら会話をすることもできる。
【００３８】
最後に、図１１及び図１２に基づいて、室内を間仕切パネル１で仕切り、該間仕切パネル１の両側に机２０１，２０１を配置した使用態様を簡単に説明する。両机２０１，２０１の間に設置した間仕切パネル１の所定高さ位置、図例では机２０１の天板２０２よりも若干高い位置に、前記オープン枠体４，４を取付けて開口部Ｓを形成し、該開口部Ｓの内部で表裏両側に前記開閉扉５，５を開閉可能に設けたものである。この場合、前記開閉扉５，５を開放すると、両机２０１，２０１の前面にそれぞれ向き合って座ったまま、直接顔を見ながら打ち合わせをしたり、書類等を受け渡しすることができる。また、開放状態の開閉扉５，５は、棚板として、あるいはカウンターとして利用することが可能である。また、両机２０１，２０１の天板２０２に載置した電子機器等への配線を前記開口部Ｓを通して行うこともできる。
【図面の簡単な説明】
【００３９】
【図１】本発明に係る間仕切パネルの開口装置の斜視図である。
【図２】間仕切パネルの基本構造を示す部分分解斜視図である。
【図３】パネル板を縦枠に取付ける構造を示す部分分解斜視図である。
【図４】フレームの表裏両面にパネル板を取付けた状態を示す縦断側面図である。
【図５】本発明の要部を示す部分分解斜視図である。
【図６】同じく本発明の要部を示す部分縦断面図である。
【図７】ラッチ具を示し、（ａ）は分解状態の縦断面図、（ｂ）は係止ピンにラッチ部が係合した状態の縦断面図、（ｃ）はラッチ部を係止ピンから外した状態の縦断面図である。
【図８】オープン枠体に開閉扉を装着した状態を示し、（ａ）は開閉扉を閉止した状態を示す斜視図、（ｂ）は開閉扉を開放した状態を示す斜視図である。
【図９】本発明に係る間仕切パネルを用いて大部屋を個室化した場合の病室の配置例を示す平面図である。
【図１０】同じく大部屋を個室化するためのパネルシステムを示す斜視図である。
【図１１】本発明に係る間仕切パネルを間に挟んで机を設置した使用態様を示す斜視図である。
【図１２】同じく間仕切パネルの開閉扉を開放した状態の斜視図である。
【符号の説明】
【００４０】
Ａ  パネルシステム            Ｂ  ベッド
Ｃ  構造壁                    Ｄ  出入口
ＣＴ  カーテン                Ｒ  大部屋
Ｒ１〜Ｒ４  準個室            Ｅ  共用空間
Ｗ  窓                        Ｆ  床面
１  間仕切パネル              ２  フレーム
３  パネル板                  ４  オープン枠体
５  開閉扉                    ６  引手
７  係着手段                  ８  支持手段（回動ステー具）
９  縦枠                      １０  横枠
１１  係合孔                  １２  取付孔
１３  上部連結具              １４  下部連結具
１５  係合爪                  １６  フック
１７  横目地材                １８  縦枠部材
１８ａ  表面部                １８ｂ  内側面部
１８ｃ  面取り部              １９  横枠部材
１９ａ  表面部                １９ｂ  内側面部
１９ｃ  面取り部              ２０  係止具
２１  蝶番                    ２２  ラッチ具（係着手段）
２３  フック部                ２４  係止ピン（係着手段）
２５  操作部                  ２６  可動体
２７  本体ケース              ２８  支軸
２９  ばね部                  ３０  内部空間
３１  軸孔                    ３２  ばね受け
３３  案内凹所                ３４  当接片
３５  ステー（支持手段）      ３５ａ  枢支ピン
３５ｂ  枢支ピン              ３６  ヒンジ部材（支持手段）
３７  ガイド部材（支持手段）  ３８  固定片
３９  立起片                  ４０  取付部
４１  ガイド部                ４２  スリット孔
１０１  壁側パネル            １０２  サイドパネル
１０３  オープン枠体          １０４  接続ボックス
１０５  配線類や配管類
２０１  机                    ２０２  天板
【図１】
2007016568.tif 000003
【図２】
2007016568.tif 000004
【図３】
2007016568.tif 000005
【図４】
2007016568.tif 000006
【図５】
2007016568.tif 000007
【図６】
2007016568.tif 000008
【図７】
2007016568.tif 000009
【図８】
2007016568.tif 000010
【図９】
2007016568.tif 000011
【図１０】
2007016568.tif 000012
【図１１】
2007016568.tif 000013
【図１２】
2007016568.tif 000014